(57)【要約】【課題】投影画像の画質を安定に確保し、かつ、光学部品を効率的に冷却できるプロジェクタを提供する。【解決手段】プロジェクタは、環状の空気流通路を有する密閉構造内部に配置される光学部品と、空気を循環させる循環ファンとを備える。密閉構造は、光学部品を内部に収納する光学部品用筐体と、光学部品用筐体内部に空気を導くとともに、光学部品用筐体内部から外部に流出した空気を再度、光学部品用筐体内部に導くダクト部材とを備える。ダクト部材は、シロッコファンを内部に収納するファン収納部９５を備える。ファン収納部９５には、内部に突出してファン筐体９３５外面に当接し、ファン筐体９３５外部の空間を回転子９３３側の第１の空間Ｓｐ１と固定子９３４側の第２の空間Ｓｐ２とに区画する隔壁部９５１が設けられている。【選択図】図１３
2009133991.tif 000002
【特許請求の範囲】
【請求項１】
空気を流通可能とする環状の空気流通路を有する密閉構造内部に配置される光学部品と、前記環状の空気流通路の空気を循環させるシロッコファンとを備えたプロジェクタであって、
前記密閉構造は、
前記光学部品を内部に収納するとともに、内部に空気を流入させるための流入口および外部に空気を流出させるための流出口を有する光学部品用筐体と、
前記流入口を介して前記光学部品用筐体内部に空気を導くとともに、前記流出口を介して前記光学部品用筐体内部から外部に流出した空気を再度、前記流入口を介して前記光学部品用筐体内部に導くダクト部材とを備え、
前記シロッコファンは、複数の羽根を有する回転子と、前記回転子を所定の回転軸を中心として回転可能に軸支する固定子と、前記固定子および前記回転子を内部に収納し、前記回転子が空気を内部に取り込むための吸入口および空気を外部に吐出するための吐出口を有するファン筐体とを備え、
前記固定子および前記回転子は、前記回転軸に沿って積層配置され、
前記ダクト部材は、前記シロッコファンを内部に収納するファン収納部を備え、
前記ファン収納部には、
内部に突出して前記ファン筐体外面に当接し、前記ファン筐体外部の空間を前記回転子側の第１の空間と前記固定子側の第２の空間とに区画する隔壁部が設けられている
ことを特徴とするプロジェクタ。
【請求項２】
請求項１に記載のプロジェクタにおいて、
前記隔壁部は、
前記吸入口側から見た場合に前記固定子の外形よりも外側に設けられている
ことを特徴とするプロジェクタ。
【請求項３】
請求項１または請求項２に記載のプロジェクタにおいて、
前記隔壁部は、
複数設けられ、前記ファン筐体外部の空間を、前記第１の空間と、前記第２の空間と、前記第１の空間および前記第２の空間の間に介在する第３の空間とに区画する
ことを特徴とするプロジェクタ。
【請求項４】
請求項１から請求項３のいずれかに記載のプロジェクタにおいて、
前記密閉構造は、互いに独立した空気流通路を有するように複数設けられ、
前記複数の密閉構造を構成する各前記ファン収納部は、一体的に形成されている
ことを特徴とするプロジェクタ。
【発明の詳細な説明】
【技術分野】
【０００１】
本発明は、プロジェクタに関する。
【背景技術】
【０００２】
従来、光源装置と、光源装置から射出された光束を画像情報に応じて変調して画像光を形成する光変調装置と、画像光を拡大投射する投射光学装置とを備えたプロジェクタが知られている。
このプロジェクタにおいて、光変調装置の表面に塵埃、油煙等が付着すると、投影画像の画質が劣化してしまう。また、液晶パネル等の光変調装置は、一般的に熱に弱いため、光源装置からの光束の照射による発熱により、熱劣化が生じる恐れがある。
そこで、投影画像の画質を安定に確保し、光変調装置を効率的に冷却するために、光変調装置および遠心力ファン（シロッコファン）を密閉構造内部に配置し、密閉構造内部の空気をシロッコファンにて循環させる構造が提案されている（例えば、特許文献１参照）。
【０００３】
【特許文献１】特開２０００−２９８３１１号公報
【発明の開示】
【発明が解決しようとする課題】
【０００４】
しかしながら、特許文献１に記載の構造では、シロッコファン全体が密閉構造内部に配設されているため、冷却対象となる光学部品の他、シロッコファン自体も発熱源となり、密閉構造内部の空気の温度が上昇しやすい構造となっている。すなわち、光変調装置等の光学部品を効率的に冷却することが難しい。
したがって、投影画像の画質を長期間安定に確保し、かつ、光変調装置等の光学部品を効率的に冷却できる技術が要望されている。
【０００５】
本発明の目的は、投影画像の画質を安定に確保し、かつ、光学部品を効率的に冷却できるプロジェクタを提供することにある。
【課題を解決するための手段】
【０００６】
本発明のプロジェクタは、空気を流通可能とする環状の空気流通路を有する密閉構造内部に配置される光学部品と、前記環状の空気流通路の空気を循環させるシロッコファンとを備えたプロジェクタであって、前記密閉構造は、前記光学部品を内部に収納するとともに、内部に空気を流入させるための流入口および外部に空気を流出させるための流出口を有する光学部品用筐体と、前記流入口を介して前記光学部品用筐体内部に空気を導くとともに、前記流出口を介して前記光学部品用筐体内部から外部に流出した空気を再度、前記流入口を介して前記光学部品用筐体内部に導くダクト部材とを備え、前記シロッコファンは、複数の羽根を有する回転子と、前記回転子を所定の回転軸を中心として回転可能に軸支する固定子と、前記固定子および前記回転子を内部に収納し、前記回転子が空気を内部に取り込むための吸入口および空気を外部に吐出するための吐出口を有するファン筐体とを備え、前記固定子および前記回転子は、前記回転軸に沿って積層配置され、前記ダクト部材は、前記シロッコファンを内部に収納するファン収納部を備え、前記ファン収納部には、内部に突出して前記ファン筐体外面に当接し、前記ファン筐体外部の空間を前記回転子側の第１の空間と前記固定子側の第２の空間とに区画する隔壁部が設けられていることを特徴とする。
【０００７】
ここで、固定子としては、コイルや、コイルに通電するドライバ回路が実装された回路基板等が例示できる。
【０００８】
本発明では、密閉構造を構成する光学部品用筐体内部に光変調装置等の光学部品が収納されているので、光学部品に塵埃、油煙等が付着することを防止でき、プロジェクタから投射される投影画像の画質を長期間安定に確保できる。
【０００９】
ところで、シロッコファンの駆動時には、回路基板上に実装されたドライバ回路等の回路素子が発熱する。そして、回路素子の熱は、ファン筐体における固定子側の端面に伝達される。さらに、伝達熱により固定子側のファン筐体外部の空気は温まり、ファン筐体外部を通り回転子側へ流通してしまう。
本発明では、密閉構造を構成するダクト部材がファン収納部を備え、ファン収納部には、ファン筐体外部の空間を回転子側の第１の空間と固定子側の第２の空間とに区画する隔壁部が設けられている。このことにより、回路素子の発熱によりファン筐体における固定子側の端面に熱が伝達されたとしても、固定子側の端面の熱を第２の空間に留め、回転子側、すなわち、吸入口側の第１の空間に伝達されることを抑制できる。すなわち、ファン筐体における固定子側の端面の熱が、吸入口および吐出口を介して空気流通路を循環する空気に伝達されることを抑制でき、シロッコファンによる密閉構造内部の空気の温度上昇を抑制できる。このため、光学部品を効率的に冷却できる。
【００１０】
本発明のプロジェクタでは、前記隔壁部は、前記吸入口側から見た場合に前記固定子の外形よりも外側に設けられていることが好ましい。
ところで、回路素子の熱は、ファン筐体における固定子側の端面において、固定子（回路基板）に対向する領域（以下、対向領域と記載）に最も伝達されるものである。
本発明では、隔壁部が上述したように設けられているので、対向領域が接する空間を確実に第２の空間とすることができる。このため、回路素子の発熱によりファン筐体に伝達された熱を第２の空間に確実に留め、第１の空間に伝達されることをより抑制できる。
【００１１】
本発明のプロジェクタでは、前記隔壁部は、複数設けられ、前記ファン筐体外部の空間を、前記第１の空間と、前記第２の空間と、前記第１の空間および前記第２の空間の間に介在する第３の空間とに区画することが好ましい。
ここで、第３の空間としては、１つに限らず、２つ以上でも構わない。
本発明では、複数の隔壁部により、ファン筐体外部の空間が第１〜第３の空間に区画されている。すなわち、第１の空間と第２の空間との間に第３の空間が設けられることで、第２の空間から第１の空間に熱が伝達されることを効果的に抑制できる。特に、空気層は断熱効果が高いため、第３の空間の空気層により、第２の空間から第１の空間に熱が伝達されることを効果的に抑制できる。
【００１２】
本発明のプロジェクタでは、前記密閉構造は、互いに独立した空気流通路を有するように複数設けられ、前記複数の密閉構造を構成する各前記ファン収納部は、一体的に形成されていることが好ましい。
本発明では、複数の密閉構造を構成する各ファン収納部は、一体的に形成されている。このことにより、各ファン収納部の密閉性を確保するためのシール部材等も共通化できる。このため、例えば各ファン収納部を一体的に形成せずにファン収納部毎にシール部材を用いる構成と比較して、各密閉構造の密閉性をより確実に確保でき、また、各密閉構造を組み立てる際の組み立て効率も向上できる。
【発明を実施するための最良の形態】
【００１３】
[第１実施形態]
以下、本発明の第１実施形態を図面に基づいて説明する。
〔外観構成〕
図１は、本実施形態におけるプロジェクタ１の外観を示す斜視図である。具体的に、図１は、プロジェクタ１を前面上方側から見た斜視図である。
なお、以下では、説明の便宜上、前面から見て左を「左」とし、前面から見て右を「右」として記載する。
プロジェクタ１は、光源から射出された光束を画像情報に応じて変調して画像光を形成し、形成した画像光をスクリーン（図示略）上に拡大投射するものである。このプロジェクタ１は、外装を構成する外装筐体２を備える。
【００１４】
外装筐体２は、合成樹脂製の筐体であり、プロジェクタ１の装置本体を収納する。この外装筐体２は、図１に示すように、装置本体の上部部分、前面部分の一部、側面部分の一部、および背面部分の一部を覆うアッパーケース２１と、装置本体の下部部分、前面部分の一部、側面部分の一部、および背面部分の一部を覆うロアーケース２２とを備える。
【００１５】
〔内部構成〕
図２および図３は、プロジェクタ１の内部構成を示す斜視図である。具体的に、図２は、図１の状態からアッパーケース２１を取り外した状態を示す斜視図である。図３は、図２の状態から制御基板５を取り外した状態を示す斜視図である。
外装筐体２の内部には、図２または図３に示すように、プロジェクタ１の装置本体が収容されている。そして、この装置本体は、光学ユニット３と、電源ユニット４と、制御基板５（図２）と、筐体内部冷却装置６と、密閉循環空冷ユニット７（図３）とを備える。
【００１６】
〔光学ユニットの構成〕
図４ないし図６は、光学ユニット３の構成を示す図である。具体的に、図４は、光学ユニット３を背面上方側から見た斜視図である。図５は、光学ユニット３を前面下方側から見た斜視図である。図６は、光学ユニット３の光学系を模式的に示す平面図である。
光学ユニット３は、制御基板５による制御の下、画像情報に応じて画像光を形成するものであり、外装筐体２の前面側から背面側に向けて延出し、延出方向先端部分が右側に屈曲して延出し、さらに、前面側に屈曲して延出する平面視略Ｕ字形状を有している。
【００１７】
この光学ユニット３は、図６に示すように、光源ランプ３１１およびリフレクタ３１２を有する光源装置３１と、レンズアレイ３２１，３２２、偏光変換素子３２３、反射ミラー３２４、および重畳レンズ３２５を有する照明光学装置３２と、ダイクロイックミラー３３１，３３２、および反射ミラー３３３を有する色分離光学装置３３と、入射側レンズ３４１、リレーレンズ３４３、および反射ミラー３４２，３４４を有するリレー光学装置３４と、光変調装置としての３つの液晶パネル３５１（赤色光側の液晶パネルを３５１Ｒ、緑色光側の液晶パネルを３５１Ｇ、青色光側の液晶パネルを３５１Ｂとする）、３つの入射側偏光板３５２、３つの射出側偏光板３５３、および色合成光学装置としてのクロスダイクロイックプリズム３５４を有する光学装置３５と、光学部品用筐体３６と、投射光学装置としての投射レンズ３７とを備える。
なお、上述した各光学部品３１〜３５，３７については、種々の一般的なプロジェクタの光学系として利用されているため、具体的な説明を省略し、以下では、光学部品用筐体３６の構成を説明する。
【００１８】
光学部品用筐体３６は、図４または図５に示すように、平面視略Ｕ字形状を有し、内部に所定の照明光軸Ａ（図６）が設定され、上述した各光学部品３１〜３５を照明光軸Ａに対する所定位置に配置する。この光学部品用筐体３６は、部品収納部材３６１と、蓋状部材３６２とを備える。
【００１９】
部品収納部材３６１は、光源装置収納部３６１１と、部品収納部本体３６１２とで構成される。
光源装置収納部３６１１は、光学部品用筐体３６のＵ字形状一端側に位置し、下方側に開口部３６１１Ａ（図５）を有する容器状に形成されている。そして、光源装置収納部３６１１には、開口部３６１１Ａを介して、光源装置３１が収納される。
【００２０】
部品収納部本体３６１２は、上方側に開口部（図示略）を有する容器状に形成されている。そして、部品収納部本体３６１２には、前記開口部を介して、光源装置収納部３６１１と接続する一端側から順に、各光学部品３２〜３４が収納され、前記一端側とは反対側の他端側に光学装置３５が収納される。また、部品収納部本体３６１２には、光学装置３５に対向する側面に投射レンズ３７が取り付けられる。
この部品収納部本体３６１２において、下方側端面には、光学装置３５を構成する各液晶パネル３５１Ｒ，３５１Ｇ，３５１Ｂの配置位置に対応した位置にそれぞれ開口部３６１２Ｒ，３６１２Ｇ，３６１２Ｂ（図５）が形成されている。
また、部品収納部本体３６１２において、下方側端面には、偏光変換素子３２３の配置位置に対応した位置に開口部３６１２Ｐ（図５）が形成されている。
これら各開口部３６１２Ｒ，３６１２Ｇ，３６１２Ｂ，３６１２Ｐは、光学部品用筐体３６内部における光学装置３５の配置位置の空間Ａｒ１（図４、図６）、および偏光変換素子３２３の配置位置の空間Ａｒ２（図４、図６）に空気を流入させる流入口として機能する。
【００２１】
蓋状部材３６２は、部品収納部本体３６１２の上方側の開口部分を閉塞する部材であり、部品収納部本体３６１２の平面形状と略同一の平面形状を有する。
この蓋状部材３６２には、光学装置３５の配置位置に対応して、光学装置３５を平面的に囲うようにＵ字状の切り欠き３６２１（図４）が形成されている。
また、蓋状部材３６２には、偏光変換素子３２３の配置位置に対応して開口部３６２２（図４）が形成されている。
これら切り欠き３６２１および開口部３６２２は、上述した各開口部３６１２Ｒ，３６１２Ｇ，３６１２Ｂ，３６１２Ｐを介して光学部品用筐体３６内部における空間Ａｒ１，Ａｒ２に流入された空気を光学部品用筐体３６外部に排出するための流出口として機能する。
【００２２】
なお、具体的な図示は省略したが、光学部品用筐体３６内部において、空間Ａｒ１は、部品収納部本体３６１２に形成されたリブ、入射側偏光板３５２等の光学部品により、隣接する他の空間と連通しないように構成されている。また、同様に、光学部品用筐体３６内部において、空間Ａｒ２は、部品収納部本体３６１２に形成されたリブや、レンズアレイ３２２および重畳レンズ３２５等の光学部品により、隣接する他の空間と連通しないように構成されている。
【００２３】
〔電源ユニットの構成〕
電源ユニット４は、プロジェクタ１の装置本体を構成する各構成部材に電力を供給する。この電源ユニット４は、図２または図３に示すように、外装筐体２における左側の側面に沿って、背面側から前面側にかけて延びるように配置されている。そして、電源ユニット４は、前面側および背面側が開口されたアルミニウム等の金属製のシールド部材４１によって周囲が覆われている。
【００２４】
〔制御基板の構成〕
制御基板５は、図２に示すように、ＣＰＵ（Central Processing Unit）等の回路素子が実装された回路基板として構成され、密閉循環空冷ユニット７の後述する各下流側ダクト部材８１，９１を介して光学ユニット３の上方側に配置される。そして、制御基板５は、プロジェクタ１を構成する各構成部材の動作を制御する。
【００２５】
〔筐体内部冷却装置の構成〕
図７は、筐体内部冷却装置６の構成を示す斜視図である。具体的に、図７は、背面上方側から見た斜視図である。
筐体内部冷却装置６は、外装筐体２内部において、光学部品用筐体３６外部に配置される各構成部材（制御基板５、光源装置３１、電源ユニット４等）を冷却する。この筐体内部冷却装置６は、図７に示すように、吸気ユニット６１と、中継ダクト６２と、電源冷却用ファン６３と、排気ユニット６４とを備える。
【００２６】
吸気ユニット６１は、外装筐体２内部における右背面側の角隅部分に配設され、外装筐体２における右側の側面部分の背面側に形成された第１吸気口（図示略）を介して、外装筐体２外部の冷却空気を内部に導入する。この吸気ユニット６１は、前記第１吸気口を介して冷却空気Airを導入する吸気側ダクト６１１と、吸気側ダクト６１１を介して導入した冷却空気Airを背面側に吐出する吸気ファン６１２とを備える。
【００２７】
中継ダクト６２は、一端が吸気ファン６１２の吐出口に接続し、外装筐体２の背面に沿って電源ユニット４の背面側まで延出する略直方体形状を有する。そして、中継ダクト６２は、吸気ファン６１２から吐出された空気を、流路Ｃ１１を辿って、外装筐体２における右側面側から左側面側に向けて流通させる。
この中継ダクト６２において、前面側の端面には、具体的な図示は省略したが、密閉循環空冷ユニット７の一部を内部に配設するための２つの配設用開口部が左右方向に並列するように形成されている。
【００２８】
また、この中継ダクト６２において、前面側の端面には、右側の前記配設用開口部の上方側に、流路Ｃ１１を辿って流通する空気の一部を外部に排出する冷却用開口部６２１（図２、図３、図７）が形成されている。
この冷却用開口部６２１は、左右方向に延びるように形成され、中継ダクト６２が組み込まれた状態で、その高さ位置が制御基板５と密閉循環空冷ユニット７の後述する第１の下流側ダクト部材８１の上方側端面との間に位置する。そして、冷却用開口部６２１を介して排出された空気は、制御基板５と第１の下流側ダクト部材８１の上方側端面との間の流路Ｃ１２を辿って流通し、制御基板５や第１の下流側ダクト部材８１の上方側端面が冷却される。
【００２９】
電源冷却用ファン６３は、電源ユニット４の背面側に配設され、中継ダクト６２の他端に接続する。そして、電源冷却用ファン６３は、中継ダクト６２を介して吸入した空気を電源ユニット４に向けて吐出する。電源冷却用ファン６３から吐出された空気は、シールド部材４１の背面側の開口部分からシールド部材４１内部に導入され、シールド部材４１内外を連通する流路Ｃ１３を辿って流通し、電源ユニット４を構成する回路素子が冷却される。
【００３０】
排気ユニット６４は、外装筐体２内部における左前面側の角隅部分に配設され、外装筐体２における前面部分の左側に形成された排気口２０１（図１）を介して、外装筐体２内部の空気を外部に排出する。この排気ユニット６４は、内部の空気（流路Ｃ１２，Ｃ１３を辿った空気、光源装置３１近傍の空気）を吸入して吐出する排気ファン６４１と、排気口２０１を介して排気ファン６４１から吐出された空気を外装筐体２外部に排出する排気側ダクト６４２とを備える。
【００３１】
〔密閉循環空冷ユニットの構成〕
図８ないし図１０は、密閉循環空冷ユニット７の構成を示す斜視図である。具体的に、図８は、光学ユニット３に取り付けられた状態を背面上方側から見た斜視図である。図９は、図８の状態から第１の下流側ダクト部材８１、熱交換器８５、カバー部材９１２、および放熱装置９４を取り外した状態を示す図である。図１０は、各上流側ダクト部材８３，９２を背面上方側から見た斜視図である。
なお、図８では、説明の便宜上、カバー部材８１２（図７）を省略している。また、図１０では、光学装置３５（入射側偏光板３５２を除く）との配置関係を示すために、光学装置３５を図示している。
密閉循環空冷ユニット７は、光学部品用筐体３６とともに本発明に係る密閉構造を構成する。この密閉循環空冷ユニット７は、図８に示すように、第１の空冷ユニット８と、第２の空冷ユニット９とを備える。
【００３２】
〔第２の空冷ユニットの構成〕
第２の空冷ユニット９は、光学部品用筐体３６とともに第２の密閉構造を構成し、前記第２の密閉構造内部の第２の空気流通路の空気を循環させて、光学部品用筐体３６における空間Ａｒ２に配置される偏光変換素子３２３を冷却する。この第２の空冷ユニット９は、図８ないし図１０に示すように、第２の下流側ダクト部材９１（図８、図９）と、第２の上流側ダクト部材９２と、第２の循環ファン９３（図１０）と、放熱装置９４（図８）とを備える。
なお、以下では、第２の空気流通路に沿って、空間Ａｒ２に対する上流を「上流」とするとともに空間Ａｒ２に対する下流を「下流」とし、下流側から順に説明する。
【００３３】
第２の下流側ダクト部材９１は、光学部品用筐体３６における空間Ａｒ２から外部に流出した空気を第２の上流側ダクト部材９２に導く部材である。この第２の下流側ダクト部材９１は、図８または図９に示すように、Ｌ字ダクト部９１１と、カバー部材９１２（図８）とを備える。
Ｌ字ダクト部９１１は、図９に示すように、光学部品用筐体３６における偏光変換素子３２３の配設位置近傍の外面形状に対応し、空間Ａｒ２の上方側から蓋状部材３６２の上方側端面に沿って背面側に延出する水平部９１１１と、光学部品用筐体３６の背面に沿って下方側に延出する鉛直部９１１２とを有するＬ字状に形成されている。
【００３４】
ここで、水平部９１１１において、下方側端面には、光学部品用筐体３６の開口部３６２２に対応する位置に、開口部３６２２を介して空間Ａｒ２に連通する連通口９１１１Ａが形成されている。
また、水平部９１１１において、上方側端面には、連通口９１１１Ａに平面的に干渉する位置から背面側に延びる開口部９１１１Ｂが形成されている。
この開口部９１１１Ｂにおける背面側の縁部には、２つの切り欠き９１１１Ｃが形成されている。
【００３５】
カバー部材９１２は、Ｌ字ダクト部９１１の開口部９１１１Ｂを閉塞する板状部材である。
そして、プロジェクタ１が組み立てられることで、光学部品用筐体３６における空間Ａｒ２から外部に流出した空気は、図９に示すように、連通口９１１１Ａを介してＬ字ダクト部９１１内部に導入され、水平部９１１１〜鉛直部９１１２の流路Ｃ２１を辿り、鉛直部９１１２から下方側に向けて排出される。
【００３６】
第２の上流側ダクト部材９２は、光学部品用筐体３６の下方側に配設され、第２の下流側ダクト部材９１内部の流路Ｃ２１を辿って流通した空気を光学部品用筐体３６における空間Ａｒ２に導く部材である。この第２の上流側ダクト部材９２は、図１０に示すように、第２の空気導入部９２１と、カバー部材１１と、ベース部材１２とを備える。
第２の空気導入部９２１は、鉛直部９１１２に接続し、流路Ｃ２１を辿って流通した空気が第２の上流側ダクト部材９２内部に導入される部分である。この第２の空気導入部９２１は、図１０に示すように、上方側に窪んだ平面視略正方形状の凹部９２１１を有する容器状に形成され、容器状の開口側がベース部材１２に取り付けられる。
この凹部９２１１の底部分には、鉛直部９１１２の外形形状に対応した略三角形状を有し、流路Ｃ２１を辿って流通した空気を内部に導入するための連通口９２１２が形成されている。
【００３７】
なお、ベース部材１２は、第１の空冷ユニット８を構成する後述する第１の上流側ダクト部材８３と共通に用いられる部材であり、以下では、ベース部材１２における左側の平面視略正方形状の部位１３（以下、第２ベース部１３と記載する）のみを説明する。
第２ベース部１３は、上方側に窪み互いに連通する収納凹部１３１および排出側凹部１３２を有する容器状に形成されている。
収納凹部１３１は、平面視略正方形状を有し、内部に第２の循環ファン９３が収納されるとともに、底部分の外面に第２の空気導入部９２１が取り付けられる。
【００３８】
ここで、第２の循環ファン９３は、具体的な構成については後述するが、シロッコファンで構成され、前記第２の密閉構造内部の第２の空気流通路に沿って空気を循環させる。そして、第２の循環ファン９３は、吸入口９３１が上方側に向き、吐出口９３２（図１１参照）が前面側に向くように、収納凹部１３１内部に収納される。
そして、収納凹部１３１において、吸入口９３１に対向する位置には、略円形状の開口部１３１１が形成されている。
【００３９】
排出側凹部１３２は、偏光変換素子３２３の配設位置に対応し、収納凹部１３１よりも前面側に設けられ、収納凹部１３１よりも上方側に膨出している。そして、排出側凹部１３２の底部分には、光学部品用筐体３６の開口部３６１２Ｐに対応し、開口部３６１２Ｐを介して空間Ａｒ２に連通する連通口１３２Ｐが形成されている。
【００４０】
カバー部材１１は、ベース部材１２と同様に、第１の空冷ユニット８を構成する後述する第１の上流側ダクト部材と共通に用いられる部材であり、ベース部材１２（第２ベース部１３）の下方側の開口部分を閉塞する板状部材である。
すなわち、第２ベース部１３およびカバー部材１１は、本発明に係るファン収納部に相当する。なお、以下では、説明の便宜上、第２ベース部１３およびカバー部材１１で構成されるファン収納部を第２のファン収納部９５（図１２参照）として記載する。また、第２のファン収納部９５の内部構造については、後述する。
そして、プロジェクタ１が組み立てられることで、第２の下流側ダクト部材９１から外部に流出した空気は、図１０に示すように、連通口９２１２を介して第２の空気導入部９２１内部に導入され、第２の空気導入部９２１〜収納凹部１３１（第２の循環ファン９３）〜排出側凹部１３２の流路Ｃ２２を辿った後、連通口１３２Ｐおよび開口部３６１２Ｐを介して空間Ａｒ２に導入される。
【００４１】
すなわち、上述した流路Ｃ２１，Ｃ２２、および空間Ａｒ２により前記第２の密閉構造内部の環状の第２の空気流通路が構成される。そして、第２の循環ファン９３により、流路Ｃ２１〜流路Ｃ２２〜空間Ａｒ２〜流路Ｃ２１の環状の第２の空気流通路を辿って空気を流通させることで、空間Ａｒ２内の偏光変換素子３２３が冷却される。
なお、具体的な図示は省略したが、光学部品用筐体３６および第２の空冷ユニット９は、例えば、各部材間に弾性を有するシール部材等が介在されることで前記第２の空気流通路と外部とが連通しない密閉構造を構成している。
【００４２】
放熱装置９４は、前記第２の密閉構造内部の流路Ｃ２１を辿る空気の熱を受熱し、前記第２の密閉構造外部に放熱する装置である。この放熱装置９４は、図８に示すように、２つのヒートパイプ９４１と、放熱部材９４２とを備える。
２つのヒートパイプ９４１は、Ｌ字形状となるように屈曲形成されている。そして、ヒートパイプ９４１は、一方の端部が第２の下流側ダクト部材９１に形成された切り欠き９１１１Ｃを介して第２の下流側ダクト部材９１内部に配置され、カバー部材９１２内面に接続する。
ここで、具体的な図示は省略したが、カバー部材９１２の内面には、金属等の熱伝導性材料から構成される複数のフィン部材を有し、流路Ｃ２１を辿る空気の熱を受熱する受熱部材が設けられている。
そして、２つのヒートパイプ９４１は、一方の端部が前記受熱部材に熱伝達可能に接続し、他方の端部が放熱部材９４２に熱伝達可能に接続する。すなわち、２つのヒートパイプ９４１は、流路Ｃ２１を辿る空気から前記受熱部材に伝達された熱を前記第２の密閉構造内部から外部へと導き、放熱部材９４２に伝達させる。
【００４３】
放熱部材９４２は、外装筐体２における背面側に配設され、ヒートパイプ９４１を介して伝達された熱を放熱する。この放熱部材９４２は、金属等の熱伝導性材料から構成される板状の複数のフィン部材を有し、互いに平行して上下方向に積層配置された構成を有している。そして、２つのヒートパイプ９４１における他方の端部は、上方側から下方側に向けて各フィン部材を貫通し、各フィン部材と熱伝達可能に接続する。
そして、放熱部材９４２は、プロジェクタ１を組み立てた状態で、中継ダクト６２の前記配設用開口部を介して中継ダクト６２内部に配設される。このため、前記受熱部材〜２つのヒートパイプ９４１〜放熱部材９４２の熱伝達経路を辿って放熱部材９４２に伝達された熱は、中継ダクト６２内部の流路Ｃ１１を辿って流通する空気により冷却される。
【００４４】
〔第１の空冷ユニットの構成〕
第１の空冷ユニット８は、光学部品用筐体３６とともに第１の密閉構造を構成し、前記第１の密閉構造内部の第１の空気流通路の空気を循環させて光学部品用筐体３６における空間Ａｒ１に配置される光学装置３５を冷却する。この第１の空冷ユニット８は、図８ないし図１０に示すように、第１の下流側ダクト部材８１（図８）と、接続ダクト部材８２（図９）と、第１の上流側ダクト部材８３と、第１の循環ファン８４（図１０）と、熱交換器８５（図８）とを備える。
なお、以下では、第１の空気流通路に沿って、空間Ａｒ１に対する上流を「上流」とするとともに空間Ａｒ１に対する下流を「下流」とし、下流側から順に説明する。
【００４５】
第１の下流側ダクト部材８１は、光学部品用筐体３６における空間Ａｒ１から外部に流出した空気を接続ダクト部材８２に導く部材である。この第１の下流側ダクト部材８１は、図８に示すように、ダクト本体８１１と、カバー部材８１２（図７）とを備える。
ダクト本体８１１は、空間Ａｒ１の上方側から蓋状部材３６２の上方側端面に沿って背面側に延出し、上方側に開口部８１１１を有する容器状に形成されている。
このダクト本体８１１において、下方側端面には、蓋状部材３６２の切り欠き３６２１に対応する位置に、切り欠き３６２１を介して空間Ａｒ１に連通する連通口８１１２が形成されている。
また、ダクト本体８１１において、下方側端面の背面側には、内部の空気を外部に排出するための矩形状の連通口８１１３が形成されている。
【００４６】
カバー部材８１２は、ダクト本体８１１の開口部８１１１を閉塞する板状部材である。
また、カバー部材８１２には、図７に示すように、各液晶パネル３５１と制御基板５とを接続する各ＦＰＣケーブル３５１Ａを通すための孔８１２１が設けられている。そして、各孔８１２１と各ＦＰＣケーブル３５１Ａとの隙間は、第１の下流側ダクト部材８１内部の密閉性が損なわれないように、ゴム、スポンジ等により封止されている。
【００４７】
そして、プロジェクタ１が組み立てられることで、光学部品用筐体３６における空間Ａｒ１から外部に流出した空気は、図８に示すように、連通口８１１２を介してダクト本体８１１内部に導入され、流路Ｃ３１を辿って背面側に流通し、連通口８１１３を介して下方側に向けて排出される。
【００４８】
接続ダクト部材８２は、光学部品用筐体３６の背面側に配設され、熱交換器８５が設置されるとともに、第１の下流側ダクト部材８１内部の流路Ｃ３１を辿って流通した空気を第１の上流側ダクト部材８３に導く部材である。
この接続ダクト部材８２は、図９に示すように、上下方向に延出する断面略Ｕ字形状を有し、断面Ｕ字状の開口部分が背面側に向くように配設される。そして、接続ダクト部材８２は、断面Ｕ字状の開口部分に熱交換器８５が設置され、熱交換器８５により前記開口部分が閉塞されることで、上下方向に空気を流通可能とする流路Ｃ３２が形成される。
そして、プロジェクタ１が組み立てられることで、接続ダクト部材８２の上方側端部が第１の下流側ダクト部材８１の連通口８１１３の周縁部分に接続し、第１の下流側ダクト部材８１から外部に流出した空気は、流路Ｃ３２を辿って下方側に向けて排出される。
【００４９】
第１の上流側ダクト部材８３は、光学部品用筐体３６の下方側に配設され、接続ダクト部材８２内部の流路Ｃ３２を辿って流通した空気を光学部品用筐体３６における空間Ａｒ１に導く部材である。この第１の上流側ダクト部材８３は、第１の空気導入部８３１と、カバー部材１１と、ベース部材１２と、を備える。
第１の空気導入部８３１は、接続ダクト部材８２の下方側端部に接続し、流路Ｃ３２を辿って流通した空気が第１の上流側ダクト部材８３内部に導入される部分である。この第１の空気導入部８３１は、図１０に示すように、上方側に窪んだ平面視略楕円形状の凹部８３１１を有する容器状に形成され、容器状の開口側がベース部材１２に取り付けられる。
この凹部８３１１の底部分には、接続ダクト部材８２の外形形状に対応した略矩形形状を有し、流路Ｃ３２を辿って流通した空気を内部に導入するための連通口８３１２が形成されている。
【００５０】
なお、ベース部材１２は、上述したように、第１の空冷ユニット８と共通に用いられる部材であるため、以下では、ベース部材１２における左側の平面視略長方形状の部位１４（以下、第１ベース部１４と記載する）のみを説明する。
第１ベース部１４は、第２ベース部１３と一体形成されたものであり、上方側に窪み互いに連通する収納凹部１４１および排出側凹部１４２を有する容器状に形成されている。
収納凹部１４１は、平面視略長方形状を有し、内部に第１の循環ファン８４（８４１，８４２）が左右方向に並列した状態で収納されるとともに、底部分の外面に第１の空気導入部８３１が取り付けられる。
【００５１】
ここで、第１の循環ファン８４は、具体的な構成については後述するが、前記第１の密閉構造内部の環状の第１の空気流通路に沿って空気を循環させるものであり、Ｂ用シロッコファン８４１およびＲＧ用シロッコファン８４２の２つで構成されている。そして、Ｂ用シロッコファン８４１は、吸入口８４１１が上方側に向き、吐出口（図示略）が前面側に向くように、収納凹部１４１内部に収納される。また、ＲＧ用シロッコファン８４２は、吸入口８４２１が上方側に向き、吐出口（図示略）が前面側から左側に傾斜した状態で、収納凹部１４１内部に収納される。
そして、収納凹部１４１において、各吸入口８４１１，８４２１に対応する位置には、略円形状の開口部１４１１，１４１２が形成されている。
【００５２】
排出側凹部１４２は、光学装置３５の配設位置に対応し、収納凹部１４１よりも前面側に設けられ、収納凹部１４１よりも上方側に膨出している。そして、排出側凹部１４２の底部分には、光学部品用筐体３６の各開口部３６１２Ｒ，３６１２Ｇ，３６１２Ｂに対応し、各開口部３６１２Ｒ，３６１２Ｇ，３６１２Ｂを介して空間Ａｒ１に連通する連通口１４２Ｒ，１４２Ｇ，１４２Ｂが形成されている。
【００５３】
カバー部材１１は、ベース部材１２における第２ベース部１３の下方側の開口部分を閉塞するとともに、第１ベース部１４の下方側の開口部分を閉塞する。
すなわち、第１ベース部１４およびカバー部材１１は、本発明に係るファン収納部に相当する。なお、以下では、説明の便宜上、第１ベース部１４およびカバー部材１１で構成されるファン収納部を第１のファン収納部８６（図１２参照）として記載する。また、第１のファン収納部８６の内部構造については、後述する。
そして、プロジェクタ１が組み立てられることで、接続ダクト部材８２から外部に流出した空気は、図１０に示すように、連通口８３１２を介して第１の空気導入部８３１内部に導入された後、第１の空気導入部８３１内部にて２つに分岐される。
第１の空気導入部８３１内部にて分岐された一方の空気は、第１の空気導入部８３１〜収納凹部１４１（Ｂ用シロッコファン８４１）〜排出側凹部１４２の流路Ｃ３３Ｂを辿った後、連通口１４２Ｂおよび開口部３６１２Ｂを介して空間Ａｒ１に導入される。
【００５４】
また、第１の空気導入部８３１内部にて分岐された他方の空気は、第１の空気導入部８３１〜収納凹部１４１（ＲＧ用シロッコファン８４２）〜排出側凹部１４２の流路Ｃ３３ＲＧを辿った後、排出側凹部１４２内部にて２つに分岐される。
排出側凹部１４２内部にて分岐された一方の空気は、連通口１４２Ｒおよび開口部３６１２Ｒを介して空間Ａｒ１に導入される。
また、排出側凹部１４２内部にて分岐された他方の空気は、連通口１４２Ｇおよび開口部３６１２Ｇを介した空間Ａｒ１に導入される。
【００５５】
すなわち、上述した流路Ｃ３１，Ｃ３２，Ｃ３３Ｂ，Ｃ３３ＲＧ、および空間Ａｒ１により前記第１の密閉構造内部の環状の第１の空気流通路が構成される。そして、第１の循環ファン８４により、流路Ｃ３１〜Ｃ３２〜Ｃ３３Ｂ，Ｃ３３ＲＧ〜空間Ａｒ１〜流路Ｃ３１の環状の第１の空気流通路を辿って空気を流通させることで、空間Ａｒ１内の光学装置３５（液晶パネル３５１、入射側偏光板３５２、射出側偏光板３５３等）が冷却される。
なお、具体的な図示は省略したが、光学部品用筐体３６および第１の空冷ユニット８は、例えば、各部材間に弾性を有するシール部材等が介在されることで前記第１の空気流通路と外部とが連通しない密閉構造を構成している。
【００５６】
熱交換器８５は、接続ダクト部材８２に設置され、前記第１の密閉構造内部の流路Ｃ３２を辿る空気の熱を受熱し、前記第１の密閉構造外部に放熱する装置である。
この熱交換器８５は、接続ダクト部材８２の断面Ｕ字状の開口部分に設置されることで、前面側の部位が接続ダクト部材８２の内側に配設される。そして、熱交換器８５は、前面側の部位にて流路Ｃ３２を辿る空気の熱を受熱し、背面側の部位に伝達させる。
また、熱交換器８５は、プロジェクタ１を組み立てた状態で、中継ダクト６２の前記配設用開口部を介して背面側の部位が中継ダクト６２内部に配設される。このため、熱交換器８５において、前面側の部位から背面側の部位に伝達された熱は、中継ダクト６２内部の流路Ｃ１１を辿って流通する空気により冷却される。
【００５７】
〔循環ファンの構造〕
次に、循環ファン８４，９３の詳細な構造を説明する。
図１１は、第２の循環ファン９３の構造を説明するための図である。具体的に、図１１（Ａ）は、第２の循環ファン９３を吸入口９３１側から見た図である。図１１（Ｂ）は、図１１（Ａ）のＩ−Ｉ線の断面図である。
なお、図１１では、説明の便宜上、回転子９３３に設けられる複数の羽根を省略している。以下の図面も同様である。
各循環ファン８４，９３は、同一の構造を有しているため、以下では、第２の循環ファン９３の構造のみを説明する。
第２の循環ファン９３は、図１１に示すように、回転子９３３と、固定子９３４と、ファン筐体９３５とを備える。
【００５８】
回転子９３３は、固定子９３４に対して回転可能に支持される。この回転子９３３は、回転子本体９３３１と、複数の羽根とを備える。
回転子本体９３３１は、固定子９３４の上方側を覆う有底円筒形状を有している。
この回転子本体９３３１において、底部分の略中央には、固定子９３４に対して回転子９３３が回転する回転軸Ａｘに沿って下方側に突出する円柱状の軸部９３３１Ａが形成されている。
また、この回転子本体９３３１において、内周部分には、回転軸Ａｘを中心とする周方向に沿って、多極に着磁された円筒磁石（永久磁石）９３３１Ｂが嵌合固定されている。
前記複数の羽根は、全て同一の形状を有し、回転子本体９３３１の外周から外側に向けて突出するように形成されている。
【００５９】
固定子９３４は、ファン筐体９３５の底面に固定される。この固定子９３４は、ホルダ９３４１と、コイル９３４２と、ヨーク９３４３と、回路基板９３４４とを備える。
ホルダ９３４１は、軸部９３３１Ａを挿通可能とする円筒形状を有し、回転軸Ａｘを中心として回転子９３３を回転可能に軸支する。また、ホルダ９３４１は、外側面にてコイル９３４２およびヨーク９３４３を支持する。
コイル９３４２は、ホルダ９３４１の外周に巻回され、回路基板９３４４により通電される部分である。
ヨーク９３４３は、コイル９３４２を囲むようにホルダ９３４１に支持され、コイル９３４２への通電により、回転軸Ａｘを中心とする周方向に沿って、多極に着磁される。
【００６０】
回路基板９３４４は、コイル９３４２に通電するドライバ回路や円筒磁石９３３１Ｂの極性を検出するホールセンサ等が実装された平面視円形状の回路基板である。そして、回路基板９３４４は、リード線を介して外部から電力が供給され、コイル９３４２への通電を適宜、変更する（正通電、逆通電を実施する）ことで回転子９３３の回転動作（回転数等）を制御する。この回路基板９３４４は、ホルダ９３４１の基端部分に固定されている。
【００６１】
以上説明したように、回転子９３３および固定子９３４は、回転軸Ａｘに沿って積層配置されている。
【００６２】
ファン筐体９３５は、回転子９３３および固定子９３４を内部に収納する。このファン筐体９３５は、筐体本体９３５１と、蓋体９３５２とを備える。
筐体本体９３５１は、容器状に形成され、底部分に固定子９３４（ホルダ９３４１）の基端部分が固定される。
この筐体本体９３５１の側面部分の一部は、切り欠かれている。そして、筐体本体９３５１に対して蓋体９３５２が組み合わされることで、切り欠き部分と蓋体９３５２とで吐出口９３２が構成される。
蓋体９３５２は、筐体本体９３５１の容器状の開口部分（回転子９３３側）に取り付けられる部分である。そして、この蓋体９３５２には、表裏を貫通し、回転軸Ａｘに沿う方向から見た場合に固定子９３４（回路基板９３４４）の外形よりも大きい吸入口９３１が形成されている。
【００６３】
以上の構成により、第２の循環ファン９３は、回路基板９３４４の制御の下、コイル９３４２への通電により着磁されたヨーク９３４３と円筒磁石９３３１Ｂとの相互作用により、回転軸Ａｘを中心として固定子９３４に対して回転子９３３が所定方向に回転する。回転子９３３が回転することで、前記複数の羽根により、吸入口９３１を介して空気がファン筐体９３５内部に取り込まれ、回転子９３３の回転接線方向に吐出口９３２を介してファン筐体９３５外部に吐出される。
【００６４】
〔ファン収納部の内部構造〕
次に、各ファン収納部８６，９５の内部構造について説明する。
図１２および図１３は、各ファン収納部８６，９５の内部構造を説明するための図である。具体的に、図１２は、各ファン収納部８６，９５を背面上方側から見た斜視図である。図１３は、図１２のII−II線の断面図である。
第２のファン収納部９５には、図１３に示すように、内部に突出して第２の循環ファン９３を構成するファン筐体９３５外面に当接する隔壁部９５１が設けられている。
【００６５】
具体的に、隔壁部９５１は、第２ベース部１３における開口部１３１１の縁部から下方側に突出する円形枠形状を有する。
そして、プロジェクタ１が組み立てられることで、隔壁部９５１の先端部分がファン筐体９３５における吸入口９３１の周縁部分に当接し、隔壁部９５１により、ファン筐体９３５外部の空間が回転子９３３側（図１２中、上方側）の第１の空間Ｓｐ１と、固定子９３４側（図１２中、下方側）の第２の空間Ｓｐ２とに区画される。
【００６６】
なお、第１のファン収納部８６の内部構造については、具体的な図示を省略したが、第２のファン収納部９５と同様に、第１ベース部１４における各開口部１４１１，１４１２の縁部から下方側に突出し、各シロッコファン８４１，８４２の吸入口８４１１，８４２１の周縁部分に当接する隔壁部がそれぞれ設けられているものである。
【００６７】
上述した第１実施形態によれば、以下の効果がある。
本実施形態では、各密閉構造を構成する光学部品用筐体３６内部の空間Ａｒ１，Ａｒ２に光学装置３５および偏光変換素子３２３がそれぞれ収納されているので、光学装置３５や偏光変換素子３２３に塵埃、油煙等が付着することを防止でき、プロジェクタ１から投射される投影画像の画質を長期間安定に確保できる。
【００６８】
また、第２の密閉構造を構成する第２の上流側ダクト部材９２が第２のファン収納部９５を備え、第２のファン収納部９５には、ファン筐体９３５外部の空間を回転子９３３側の第１の空間Ｓｐ１と固定子９３４側の第２の空間Ｓｐ２とに区画する隔壁部９５１が設けられている。このことにより、回路基板９３４４上に実装されたドライバ回路等の回路素子の発熱により、ファン筐体９３５における固定子９３４側の底部分に熱が伝達されたとしても、底部分の熱を第２の空間Ｓｐ２に留め、回転子９３３側、すなわち、吸入口９３１側の第１の空間Ｓｐ１に伝達されることを抑制できる。すなわち、ファン筐体９３５における底部分の熱が、吸入口９３１および吐出口９３２を介して第２の空気流通路を循環する空気に伝達されることを抑制でき、第２の循環ファン９３による第２の密閉構造内部の空気の温度上昇を抑制できる。このため、偏光変換素子３２３を効率的に冷却できる。
なお、第１の密閉構造を構成する第１の上流側ダクト部材８３の第１のファン収納部８６にも同様の隔壁部が設けられているので、第１の循環ファン８４による第１の密閉構造内部の空気の温度上昇を抑制でき、光学装置３５を効率的に冷却できる。
【００６９】
以上のように、第１の循環ファン８４による第１の密閉構造内部の空気の温度上昇、および第２の循環ファン９３による第２の密閉構造内部の空気の温度上昇を抑制できるため、各密閉構造内部の空気を冷却するための熱交換器８５や放熱装置９４を大型化する必要がなく、プロジェクタ１の小型・軽量化が図れる。
また、第１の循環ファン８４および第２の循環ファン９３の回転数を増加させても、各循環ファン８４，９３による各密閉構造内部の空気の温度上昇を抑制できるため、光学装置３５や偏光変換素子３２３を効果的に冷却できる。
【００７０】
また、隔壁部９５１は、吸入口９３１側から見た場合に、固定子９３４（回路基板９３４４）の外形よりも外側に設けられている。このことにより、ファン筐体９３５の底部分において、回路基板９３４４上に実装された回路素子の発熱により最も熱が伝達される対向領域ＡｒＦ（図１３）が接する空間を確実に第２の空間Ｓｐ２とすることができる。このため、回路素子の発熱によりファン筐体９３５に伝達された熱を第２の空間Ｓｐ２に確実に留め、第１の空間Ｓｐ１に伝達されることをより抑制できる。
【００７１】
さらに、第１のファン収納部８６を構成する第１ベース部１４と、第２のファン収納部９５を構成する第２ベース部１３とはベース部材１２として一体的に形成されている。同様に、カバー部材１１についても、各ファン収納部８６，９５に共通に用いられている。このことにより、各ファン収納部８６，９５の密閉性を確保するためのシール部材等も共通化できる。このため、例えば各ファン収納部を一体的に形成せずにファン収納部毎にシール部材を用いる構成と比較して、各密閉構造の密閉性をより確実に確保でき、また、各密閉構造を組み立てる際の組み立て効率も向上できる。
【００７２】
[第２実施形態]
次に、本発明の第２実施形態を図面に基づいて説明する。
以下の説明では、前記第１実施形態と同様の構造および同一部材には同一符号を付して、その詳細な説明は省略または簡略化する。
図１４は、第２実施形態における第２のファン収納部９５の内部構造を説明するための図である。なお、図１４は、図１３と同様に、図１２のII−II線の断面図である。
本実施形態は、前記第１実施形態に対して、隔壁部９５１の形成位置が異なるのみである。その他の構成は、前記第１実施形態と同様のものである。
【００７３】
具体的に、本実施形態では、隔壁部９５１は、図１４に示すように、カバー部材１１内面から上方側に突出する円形枠形状を有する。
また、隔壁部９５１は、プロジェクタ１を組み立てた状態で、吸入口９３１側（回転軸Ａｘに沿う方向）から見た場合に、固定子９３４（回路基板９３４４）の外形よりも大きい枠形状を有する。
そして、プロジェクタ１が組み立てられることで、隔壁部９５１の先端部分がファン筐体９３５における筐体本体９３５１の底面に当接し、隔壁部９５１により、ファン筐体９３５外部の空間が回転子９３３側（図１４中、上方側）の第１の空間Ｓｐ１と、固定子９３４側（図１４中、下方側）の第２の空間Ｓｐ２とに区画される。
【００７４】
なお、第１のファン収納部８６の内部構造については、具体的な図示を省略したが、第２のファン収納部９５と同様に、カバー部材１１内面から上方側に突出し、各シロッコファン８４１，８４２の底面に当接する隔壁部がそれぞれ設けられているものである。
【００７５】
上述した第２実施形態においては、前記第１実施形態で説明した効果の他、以下に示す効果がある。
本実施形態では、隔壁部９５１は、カバー部材１１内面に形成され、先端部分がファン筐体９３５における筐体本体９３５１に当接する。このことにより、隔壁部９５１が蓋体９３５２に対して比較的に強度の高い筐体本体９３５１に当接することで、プロジェクタ１を組み立てた際に、ファン筐体９３５が隔壁部９５１により変形することがなく、第２の循環ファン９３の不具合を防止できる。
なお、第１のファン収納部８６にも同様の隔壁部が設けられているので、前記同様に、第１の循環ファン８４の不具合も防止できる。
また、隔壁部９５１は、筐体本体９３５１および蓋体９３５２の接続部分よりも固定子９３４側に形成されている。このことにより、前記接続部分を介してファン筐体９３５内部と第２の空間Ｓｐ２とが連通することがなく、第２の空間Ｓｐ２に伝達された熱がファン筐体９３５内部、すなわち、吸入口９３１および吐出口９３２を介して第２の空気流通路を循環する空気に伝達されることを防止できる。
【００７６】
[第３実施形態]
次に、本発明の第３実施形態を図面に基づいて説明する。
以下の説明では、前記第１実施形態および前記第２実施形態と同様の構造および同一部材には同一符号を付して、その詳細な説明は省略または簡略化する。
図１５は、第３実施形態における第２のファン収納部９５の内部構造を説明するための図である。なお、図１５は、図１３および図１４と同様に、図１２のII−II線の断面図である。
本実施形態は、前記第１実施形態および前記第２実施形態に対して、隔壁部９５１が複数設けられている点が異なるのみである。その他の構成は、前記第１実施形態および前記第２実施形態と同様のものである。
【００７７】
具体的に、本実施形態では、隔壁部９５１は、図１５に示すように、前記第１実施形態で説明した隔壁部９５１と同様の回転子側隔壁部９５１Ａと、前記第２実施形態で説明した隔壁部９５１と同様の固定子側隔壁部９５１Ｂとの２つで構成されている。
そして、プロジェクタ１が組み立てられることで、２つの隔壁部９５１Ａ，９５１Ｂにより、ファン筐体９３５外部の空間が、前記第１実施形態と同様の第１の空間Ｓｐ１と、前記第２実施形態と同様の第２の空間Ｓｐ２と、第１の空間Ｓｐ１および第２の空間Ｓｐ２の間に介在する第３の空間Ｓｐ３とに区画される。
【００７８】
なお、第１のファン収納部８６の内部構造については、具体的な図示を省略したが、第２のファン収納部９５と同様に、各シロッコファン８４１，８４２にそれぞれ当接する回転子側隔壁部および固定子側隔壁部がそれぞれ設けられているものである。
【００７９】
上述した第３実施形態においては、前記第１実施形態および前記第２実施形態で説明した効果の他、以下に示す効果がある。
本実施形態では、隔壁部９５１は、回転子側隔壁部９５１Ａと、固定子側隔壁部９５１Ｂとの２つで構成され、ファン筐体９３５外部の空間が第１の空間Ｓｐ１、第２の空間Ｓｐ２、および第３の空間Ｓｐ３に区画されている。すなわち、第１の空間Ｓｐ１と第２の空間Ｓｐ２との間に第３の空間Ｓｐ３が設けられることで、第２の空間Ｓｐ２から第１の空間Ｓｐ１に熱が伝達されることを効果的に抑制できる。特に、空気層は断熱効果が高いため、第３の空間Ｓｐ３の空気層により、第２の空間Ｓｐ２から第１の空間Ｓｐ１に熱が伝達されることを効果的に抑制できる。
【００８０】
[第４実施形態]
次に、本発明の第４実施形態を図面に基づいて説明する。
以下の説明では、前記第１実施形態と同様の構造および同一部材には同一符号を付して、その詳細な説明は省略または簡略化する。
図１６は、第４実施形態における第２のファン収納部９５の内部構造を説明するための図である。なお、図１６は、図１３ないし図１５と同様に、図１２のII−II線の断面図である。
本実施形態では、前記第１実施形態に対して、前記第３実施形態と同様に、隔壁部９５１が複数設けられている点が異なるのみである。その他の構成は、前記第１実施形態と同様のものである。
【００８１】
具体的に、本実施形態では、隔壁部９５１は、図１６に示すように、回転子９３３側（図１６中、上方側）に形成された回転子側隔壁部９５１Ａと、固定子９３４側（図１６中、下方側）に形成された固定子側隔壁部９５１Ｂとの２つで構成されている。
回転子側隔壁部９５１Ａは、第２ベース部１３における収納凹部１３１の側壁部分から水平方向に突出し、第２の循環ファン９３におけるファン筐体９３５の吐出口９３２を除く側面部分を囲うように形成されている。なお、固定子側隔壁部９５１Ｂも回転子側隔壁部９５１Ａと同様に形成されている。
そして、プロジェクタ１が組み立てられることで、２つの隔壁部９５１Ａ，９５１Ｂの各先端部分がファン筐体９３５における筐体本体９３５１の吐出口９３２を除く側面に当接し、各隔壁部９５１Ａ，９５１Ｂにより、ファン筐体９３５外部の空間が回転子９３３側の第１の空間Ｓｐ１と、固定子９３４側の第２の空間Ｓｐ２と、第１の空間Ｓｐ１および第２の空間Ｓｐ２の間に介在する第３の空間Ｓｐ３とに区画される。
【００８２】
なお、第１のファン収納部８６の内部構造については、具体的な図示を省略したが、第２のファン収納部９５と同様に、各シロッコファン８４１，８４２にそれぞれ当接する回転子側隔壁部および固定子側隔壁部がそれぞれ設けられているものである。
【００８３】
上述した第４実施形態においては、前記第１実施形態ないし前記第３実施形態で説明した効果の他、以下に示す効果がある。
本実施形態では、隔壁部９５１は、回転子側隔壁部９５１Ａと、固定子側隔壁部９５１Ｂとの２つで構成され、各先端部分がファン筐体９３５における筐体本体９３５１の側面に当接する。すなわち、各隔壁部９５１Ａ，９５１Ｂは、筐体本体９３５１および蓋体９３５２の接続部分よりも固定子９３４側に形成されている。このことにより、前記接続部分を介してファン筐体９３５内部と第３の空間Ｓｐ３とが連通することがなく、第３の空間Ｓｐ３に伝達された熱がファン筐体９３５内部、すなわち、吸入口９３１および吐出口９３２を介して第２の空気流通路を循環する空気に伝達されることを防止できる。
【００８４】
なお、本発明は前述の実施形態に限定されるものではなく、本発明の目的を達成できる範囲での変形、改良等は本発明に含まれるものである。
前記各実施形態において、隔壁部９５１の形成位置は、前記各実施形態で説明した形成位置に限らず、ファン筐体９３５外部の空間を回転子９３３側の第１の空間と固定子９３４側の第２の空間とに区画できれば、いずれの形成位置でも構わない。
前記第３実施形態および前記第４実施形態では、隔壁部９５１は、回転子側隔壁部９５１Ａおよび固定子側隔壁部９５１Ｂの２つで構成されていたが、その数は、２つに限定されず、３つ以上設けても構わない。すなわち、第３の空間Ｓｐ３は、１つに限らず、２つ以上でも構わない。
【００８５】
前記各実施形態では、ファン収納部８６，９５は、各上流側ダクト部材８３，９２に設けていたが、これに限らず、例えば、各下流側ダクト部材８１，９１に設けても構わない。
前記各実施形態では、冷却対象として、光学装置３５および偏光変換素子３２３としたが、これに限らず、その他の光学部品を採用しても構わない。
前記各実施形態では、光源装置３１は、放電発光型の光源装置で構成していたが、これに限らず、レーザダイオード、ＬＥＤ(Light Emitting Diode)、有機ＥＬ(Electro Luminescence)素子、シリコン発光素子等の各種固体発光素子を採用してもよい。
【００８６】
前記各実施形態では、プロジェクタ１は、液晶パネル３５１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記各実施形態では、光入射面と光射出面とが異なる透過型の液晶パネルを用いていたが、光入射面と光射出面とが同一となる反射型の液晶パネルを用いても構わない。
前記各実施形態では、光変調装置として液晶パネルを用いていたが、マイクロミラーを用いたデバイス等、液晶以外の光変調装置を用いても構わない。
前記各実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【産業上の利用可能性】
【００８７】
本発明は、投影画像の画質を安定に確保し、かつ、光学部品を効率的に冷却できるため、プレゼンテーションやホームシアタに用いられるプロジェクタに利用できる。
【図面の簡単な説明】
【００８８】
【図１】第１実施形態におけるプロジェクタの外観を示す斜視図。
【図２】前記実施形態におけるプロジェクタの内部構成を示す図。
【図３】前記実施形態におけるプロジェクタの内部構成を示す図。
【図４】前記実施形態における光学ユニットの構成を示す図。
【図５】前記実施形態における光学ユニットの構成を示す図。
【図６】前記実施形態における光学ユニットの構成を示す図。
【図７】前記実施形態における筐体内部冷却装置の構成を示す斜視図。
【図８】前記実施形態における密閉循環空冷ユニットの構成を示す斜視図。
【図９】前記実施形態における密閉循環空冷ユニットの構成を示す斜視図。
【図１０】前記実施形態における密閉循環空冷ユニットの構成を示す斜視図。
【図１１】前記実施形態における第２の循環ファンの構造を説明するための図。
【図１２】前記実施形態における各ファン収納部の内部構造を説明するための図。
【図１３】前記実施形態における各ファン収納部の内部構造を説明するための図。
【図１４】第２実施形態における第２のファン収納部の内部構造を説明するための図。
【図１５】第３実施形態における第２のファン収納部の内部構造を説明するための図。
【図１６】第４実施形態における第２のファン収納部の内部構造を説明するための図。
【符号の説明】
【００８９】
１・・・プロジェクタ、３５・・・光学装置（光学部品）、３６・・・光学部品用筐体、８１，９１・・・下流側ダクト部材、８２・・・接続ダクト部材、８３，９２・・・上流側ダクト部材、８４，９３・・・循環ファン（シロッコファン）、８６，９５・・・ファン収納部、３２３・・・偏光変換素子、９３１・・・吸入口、９３２・・・吐出口、９３３・・・回転子、９３４・・・固定子、９３５・・・ファン筐体、９５１・・・隔壁部、３６１２Ｒ，３６１２Ｇ，３６１２Ｂ・・・開口部（流入口）、３６２１・・・切り欠き（流出口）、Ａｘ・・・回転軸、Ｓｐ１・・・第１の空間、Ｓｐ２・・・第２の空間、Ｓｐ３・・・第３の空間。
【図１】
2009133991.tif 000003
【図２】
2009133991.tif 000004
【図３】
2009133991.tif 000005
【図４】
2009133991.tif 000006
【図５】
2009133991.tif 000007
【図６】
2009133991.tif 000008
【図７】
2009133991.tif 000009
【図８】
2009133991.tif 000010
【図９】
2009133991.tif 000011
【図１０】
2009133991.tif 000012
【図１１】
2009133991.tif 000013
【図１２】
2009133991.tif 000014
【図１３】
2009133991.tif 000015
【図１４】
2009133991.tif 000016
【図１５】
2009133991.tif 000017
【図１６】
2009133991.tif 000018